(57)【要約】      （修正有）【課題】確実な止水を可能にしつつ、設置作業を迅速容易に行うことができる止水板を提供する。【解決手段】床面Ｆから起立する一対の側壁９１，９２を備える構造物において、一対の側壁９１，９２の間に第１の止水部材３を介して一または複数配置されることにより水の浸入を防止する止水板１であって、起立状態で配置される板本体２と、板本体２の下端面に設けられて板本体２の表面側に突出する第２の止水部材４と、板本体２の裏面側に設けられて床面Ｆとの接触により板本体２を起立状態に保持する保持部材１０，２０とを備え、保持部材１０，２０は、床面Ｆから突出する突部３０,３０と係合可能な係止部１３，２３を備えており、板本体２が表面側に水圧を受けると係止部１３，２３が突部３０，３０に係止される。【選択図】図３
2020197080.tif 000002
【特許請求の範囲】
【請求項１】
床面から起立する一対の側壁を備える構造物において、一対の前記側壁の間に第１の止水部材を介して一または複数配置されることにより水の浸入を防止する止水板であって、
起立状態で配置される板本体と、前記板本体の下端面に設けられて前記板本体の表面側に突出する第２の止水部材と、前記板本体の裏面側に設けられて床面との接触により前記板本体を起立状態に保持する保持部材とを備え、
前記保持部材は、床面から突出する突部と係合可能な係止部を備えており、
前記板本体が表面側に水圧を受けると前記係止部が前記突部に係止される止水板。
【請求項２】
前記係止部は、前記突部を相対移動可能に収容する長孔または切欠きにより形成される請求項１に記載の止水板。
【請求項３】
請求項１または２に記載の止水板を用いて一対の前記側壁の間を止水する方法であって、
複数の前記止水板を、それぞれに対応して予め設けられた前記突部に前記係止部が係止されるように配置し、前記第１の止水部材を介して連結する止水方法。
【請求項４】
一の前記止水板の裏面に他の前記止水板の側端面を連結する請求項３に記載の止水方法。
【発明の詳細な説明】
【技術分野】
【０００１】
本発明は、止水板および止水方法に関する。
【背景技術】
【０００２】
ビル、病院、地下鉄駅、地下駐車場などの構造物の出入口は、ゲリラ豪雨や台風等によって、内部に水が流れ込むおそれがあることから、これを止水板によって防止することが従来から検討されている。例えば、特許文献１には、起立状態で配置される板本体と、板本体の下端面に設けられた第１の止水材とを備える止水板が開示されており、第１の止水材が、板本体の表面側に突出する突出部を備えることにより、滞留した水によって突出部が押圧されて床面に密着する。
【先行技術文献】
【特許文献】
【０００３】
【特許文献１】特開２０１７−１５０２９６号公報
【発明の概要】
【発明が解決しようとする課題】
【０００４】
上記従来の止水板は、第１の止水材によって下方からの水の浸入を確実に防止できる一方、良好な止水性を維持するために一対のガイドレールを施工するようにしているため、止水板の施工作業性を高める観点から更に改良の余地があった。
【０００５】
特に、構造物の幅広の空間を止水するために複数の止水板を連結する場合には、各止水板の間に中間柱を設けてそれぞれにガイドレールを設置する必要があるため、中間柱が邪魔になり易い一方、中間柱を取り外し可能に構成すると止水時の作業負担が大きくなり、止水完了に時間がかかるおそれがあった。
【０００６】
そこで、本発明は、確実な止水を可能にしつつ、設置作業を迅速容易に行うことができる止水板および止水方法の提供を目的とする。
【課題を解決するための手段】
【０００７】
本発明の前記目的は、床面から起立する一対の側壁を備える構造物において、一対の前記側壁の間に第１の止水部材を介して一または複数配置されることにより水の浸入を防止する止水板であって、起立状態で配置される板本体と、前記板本体の下端面に設けられて前記板本体の表面側に突出する第２の止水部材と、前記板本体の裏面側に設けられて床面との接触により前記板本体を起立状態に保持する保持部材とを備え、前記保持部材は、床面から突出する突部と係合可能な係止部を備えており、前記板本体が表面側に水圧を受けると前記係止部が前記突部に係止される止水板により達成される。
【０００８】
この止水板において、前記係止部は、前記突部を相対移動可能に収容する長孔または切欠きにより形成されることが好ましい。
【０００９】
また、本発明の前記目的は、上記の止水板を用いて一対の前記側壁の間を止水する方法であって、複数の前記止水板を、それぞれに対応して予め設けられた前記突部に前記係止部が係止されるように配置し、前記第１の止水部材を介して連結する止水方法により達成される。
【００１０】
この止水方法は、一の前記止水板の裏面に他の前記止水板の側端面を連結することができる。
【発明の効果】
【００１１】
本発明によれば、確実な止水を可能にしつつ、設置作業を迅速容易に行うことができる止水板を提供することができる。
【図面の簡単な説明】
【００１２】
【図１】本発明の一実施形態に係る止水板の正面図である。
【図２】前記止水板の背面図である。
【図３】前記止水板の平面図である。
【図４】図３の要部拡大図である。
【図５】図４のＡ−Ａ断面図である。
【図６】前記止水板を用いた止水方法の一工程を説明するための要部断面図である。
【図７】前記止水板を用いた止水方法の他の工程を説明するための要部断面図である。
【図８】前記止水板を用いた止水方法の一例を示す平面図である。
【図９】前記止水板を用いた止水方法の他の例を示す平面図である。
【発明を実施するための形態】
【００１３】
以下、本発明の実施の形態について、添付図面を参照して説明する。図１は、本発明の一実施形態に係る止水板の正面図である。また、図２および図３は、それぞれ図１に示す止水板の背面図および平面図であり、図４は、図３に示す止水板の一部を拡大して示す図である。図１から図４に示すように、本実施形態の止水板１は、構造物の一対の側壁９１，９２の間に第１の止水部材３，３を介して配置されることにより、一対の側壁９１，９２の間を止水することができる。
【００１４】
止水板１は、起立状態で床面Ｆに配置される矩形平板状の板本体２と、板本体２の下端面に設けられた第２の止水部材４と、板本体の裏面側における左右両側にそれぞれ設けられた２つの保持部材１０，２０とを備えている。
【００１５】
第１の止水部材３，３は、ゴムや樹脂等からなる帯状または板状の部材であり、一対の側壁９１，９２と板本体２の両側端面との間に上下方向全体にわたって介在される。図３および図４に示すように、本実施形態においては、一方の側壁９１にＰ型の水密ゴムからなる第１の止水部材３が固定され、板本体２の一方の側端面に帯板６が固定されており、第１の止水部材３の筒状部が帯板６を前方から（板本体２の表面側から）覆うことにより、一方の側壁９１と板本体２との間が封止される。他方の側壁９２には帯板７が固定され、板本体２の他方の側端面にはＰ型の水密ゴムからなる第１の止水部材３が固定されており、第１の止水部材３の筒状部が帯板７を前方から覆うことにより、他方の側壁９２と板本体２との間が封止される。
【００１６】
側壁９１，９２と板本体２との間に介在される第１の止水部材３は、側壁９１，９２または板本体２のどちらに固定されてもよく、側壁９１，９２および板本体２の双方に固定されてもよい。あるいは、第１の止水部材３を、板本体２に固定せずに、施工時に介在させることもできる。第１の止水部材３は、Ｐ型の水密ゴムに限定されるものではなく、水密に封止可能であれば他の形状や材料であってもよい。
【００１７】
板本体２は、例えば、アルミニウム製のハニカム構造を有する芯材をアルミ板により被覆したハニカムパネルを使用することが可能であり、剛性を維持しつつ軽量化を図ることができる。板本体２の上端面には、裏面側に向けて切り欠かれた部分に、水平に延びる棒状の把持部２ａ，２ａが設けられている。
【００１８】
第２の止水部材４は、第１の止水部材３と同様にゴムや樹脂等からなる帯状または板状の部材であり、一部が板本体２の表面側に突出するように配置されて、板本体２の左右方向の略全体にわたって設けられている。第２の止水部材４についても、Ｐ型の水密ゴムを使用することが可能であり、この場合は、Ｐ型水密ゴムの筒状部が突出するように配置することが好ましい。
【００１９】
第２の止水部材４の突出部は、板本体２の表面下部から垂下するように設けられた第３の止水部材５により覆われている。第３の止水部材５についても、第２の止水部材４と同様にゴムや樹脂等からなる帯状または板状に形成することができる。
【００２０】
保持部材１０，２０は、中空板状に形成された保持部本体１１，２１と、保持部本体１１，２１を板本体２に固定するブラケット１２，２２とを備えている。
【００２１】
図５は、図４のＡ−Ａ断面図である。図５に示すように、一方の保持部材１０の保持部本体１１は、側面視が直角三角形状に形成されており、下面が床面Ｆに接触して板本体２を起立状態に保持できるように、適宜の厚みを有している。ブラケット１２は、保持部本体１１に一体化されて、床面Ｆと接触する下部が板本体２の裏面側に突出するように断面Ｌ字状に形成されており、下部に係止部１３が形成されている。他方の保持部材２０は、一方の保持部材１０と同様の構成を備えており、一方の保持部材１０と左右対称に配置されている。本実施形態においては、板本体２に対して保持部材１０，２０を２つ設けているが、保持部材は単一または３つ以上であってもよく、板本体２の左右方向の長さ等に応じて適宜の数を設けることが可能である。
【００２２】
図４に示すように、係止部１３は、ブラケット１２の突出方向に延びる長孔からなり、板本体２側となる基端部１３ａから先端部１３ｂに向けて開口幅が徐々に広がるように形成されている。係止部１３の開口には、床面Ｆから突出する突部３０を、破線で示す位置から相対移動可能に収容することができる。
【００２３】
次に、上記の構成を備える止水板１を用いて、一対の側壁９１，９２の間を止水する方法を説明する。まず、止水板１を設置する床面Ｆに、予め突部３０を設置する。突部３０の構成は特に限定されないが、本実施形態においては、図６に示すように、頭部３０ａが皿状に形成された皿ボルトからなる突部３０を使用しており、内周面にねじ部が形成された筒状体３１を床面Ｆに埋設して、この筒状体３１に突部３０を螺合させている。この構成によれば、止水板１を使用しない通常時は、歩行者等の通行の妨げとならないように、突部３０の頭部３０ａを二点鎖線で示すように床面Ｆと略面一の状態に保持することができ、止水板１を使用する際には、突部３０を回転させて引き上げることで、床面Ｆから迅速容易に突出させることができる。
【００２４】
突部３０を上下動させるための構成は、突部３０を上昇位置で保持可能であればよく、突部３０と他の部材との螺合以外に、嵌合や噛合などの他の手段であってもよい。また、突部３０は、床面Ｆから突出した状態で固定されてもよく、突部３０を適宜床マット等で覆うことで、突部３０により歩行者が躓くのを防止することができる。
【００２５】
ついで、図７（ａ）に示すように、止水板１を、係止部１３の幅広の先端部１３ｂに突部３０が収容されるように、床面Ｆに載置する。そして、図７（ｂ）に示すように、板本体２の表面側を矢示方向に押圧することにより、図５に示すように、突部３０が係止部１３の基端部１３ａに相対移動し、頭部３０ａが係止部１３の開口上縁に係合する。こうして、止水板１の設置作業が終了する。突部３０の形状は特に限定されないが、上部を鉤状に屈曲させる等して、本実施形態と同様に係止部１３の開口上縁と係合可能であることが好ましく、これによって止水板１の設置を確実に行うことができる。
【００２６】
上記の止水方法によれば、図５に示すように、止水板１の表面側（屋外側）に豪雨等で水Ｗが滞留すると、第３の止水部材５を介して、第２の止水部材４の突出部に水圧による押圧力Ｐが作用し、第２の止水部材４が床面Ｆに密着する。本発明において、第３の止水部材５は必須ではなく、第３の止水部材５を備えない構成であっても第２の止水部材４を床面Ｆに密着させることができる。あるいは、第３の止水部材５を、第２の止水部材４の突出部に一体化させることもできる。
【００２７】
板本体２が表面に水圧を受けると、保持部材１０も押圧されるため、係止部１３の基端部１３ａが突部３０に係止される（保持部材２０についても同様）。これにより、止水板１が床面Ｆの所定位置に確実に固定されるため、第２の止水部材４による止水を長時間良好に維持することができる。
【００２８】
突部３０が係合する係止部１３は、本実施形態では長孔としているが、突部３０を相対移動可能に収容できる切欠き等あってもよい。更に、係止部１３は、必ずしも突部３０を収容可能な構成に限定されず、例えば、保持部材１０の側方に張り出す張出片など、板本体２の表面側が押圧されたときに突部３０と係合可能な構成であればよい。
【００２９】
上述したように、本実施形態の止水板１は、板本体２の表面側に水圧を受けると、第２の止水部材４によって板本体２の下方からの水の浸入を防止すると共に、係止部１３，２３が突部３０,３０に係止されることにより自立して固定される。したがって、単一の止水板１により止水できるだけでなく、複数の止水板１を連結して止水することができる。複数の止水板１を使用する場合、それぞれに対応して予め設けられた突部３０，３０に係止部１３，２３が係止されるように配置し、第１の止水部材３を介して連結することができる。
【００３０】
例えば、図８に示す止水方法は、互いに対向する一対の側壁９１，９２の間に、複数の止水板１を一列に配置したものであり、各止水板１の間、および、止水板１の側壁９１，９２との間に、第１の止水部材３を介在させている。止水板１は、矢示方向に水圧を受けることによりそれぞれ独立して固定されるため、中間柱などを設ける必要がなく、止水板１の設置作業を迅速容易に行うことができる。図８に示す止水方法においても、板本体２に対する第１の止水部材３の固定位置は特に限定されないが、板本体２の両側端面の一方のみに固定されていることが好ましく、これによって同じ構成を備える複数の第１の止水部材３を順次連結することができ、作業性を向上させることができる。
【００３１】
一対の側壁９１，９２は、必ずしも対向配置されている必要はない。例えば、図９に示す一対の側壁９１，９２に対しては、複数の止水板１を途中で直角に曲がるように連結することで、一対の側壁９１，９２間を止水することができる。この止水方法においては、複数の止水板１の連結体が直角に折れ曲がる部分で、一の止水板１の裏面に他の止水板１の側端面を連結することにより、これらの止水板１，１に矢示方向の水圧が作用して互いに密着するため、止水を確実に行うことができる。この構成においては、一の止水板１と他の止水板１とが必ずしも直交する必要はなく、傾斜状態で連結することも可能である。
【符号の説明】
【００３２】
１  止水板
２  板本体
３  第1の止水部材
４  第２の止水部材
１０，２０  保持部材
１３，２３  係止部
３０  突部
９１，９２  側壁
【図１】
2020197080.tif 000003
【図２】
2020197080.tif 000004
【図３】
2020197080.tif 000005
【図４】
2020197080.tif 000006
【図５】
2020197080.tif 000007
【図６】
2020197080.tif 000008
【図７】
2020197080.tif 000009
【図８】
2020197080.tif 000010
【図９】
2020197080.tif 000011